(57)【要約】【課題】  外的環境の変化や経時変化による各表示画素の発光特性のバラツキに関わらず、各発光素子を表示データに応じた適切な輝度階調で発光動作させることができる表示駆動装置を提供し、以て、画像情報を良好に表示することができる表示装置並びにその駆動制御方法を提供する。【解決手段】  表示装置１００Ａは、有機ＥＬ素子ＯＥＬを備えた複数の表示画素がマトリクス状に配列された表示パネル１１０Ａと、走査ラインＳＬに順次走査信号Ｖscanを印加するゲートドライバ１２０と、データラインＤＬに表示データに応じた階調信号電圧Ｖdataを供給するデータドライバ１３０と、各表示画素の有機ＥＬ素子ＯＥＬの発光特性に関連する特定量（発光輝度）を測定し、表示データを補正する補正制御回路１４０Ａと、を備えている。【選択図】  図１
2005092028.tif 000002
【特許請求の範囲】
【請求項１】
表示パネルに２次元配列された複数の表示画素を行ごとに選択して、表示信号に応じた信号電圧を印加することにより、該表示画素を前記表示信号に応じた輝度階調で発光動作させる表示駆動装置において、
少なくとも、前記表示パネルの行ごと又は列ごとの前記複数の表示画素に対して設けられ、特定の信号電圧を印加した場合の、前記複数の表示画素各々の発光特性に関連する特定量を検出する特定量検出手段と、
少なくとも前記検出された特定量に基づく階調データを保持する記憶手段と、
前記記憶手段に保持された階調データと、前記表示画素における前記特定の信号電圧に対応する前記特定量の初期値に基づく階調データとの比較結果に基づいて、前記表示信号と前記特定量との関係を前記表示画素の初期状態における関係に近づけるように、前記表示画素に印加する前記信号電圧の電圧値を補正する補正信号を生成する信号補正手段と、
を備える補正制御回路を有することを特徴とする表示駆動装置。
【請求項２】
前記記憶手段は、更に、前記表示画素における前記特定量の初期値に基づく階調データを保持することを特徴とする請求項１記載の表示駆動装置。
【請求項３】
前記特定量検出手段による前記特定量の検出は、前記表示パネルへの電源投入時、及び、前記表示パネルへの電源投入後の所定時間以上経過後、の少なくとも何れかのタイミングに行われることを特徴とする請求項１記載の表示駆動装置。
【請求項４】
前記特定量検出手段は、前記表示画素に対して、前記特定の信号電圧を印加した場合の、前記表示画素における発光輝度を測定する受光素子を備えることを特徴とする請求項１記載の表示駆動装置。
【請求項５】
前記表示信号は、デジタルデータからなり、
前記特定量検出手段は、前記受光素子から出力される前記特定量の信号レベルをデジタルデータ化して、前記階調データを生成する変換手段を備えることを特徴とする請求項４記載の表示駆動装置。
【請求項６】
前記特定量検出手段は、前記受光素子が、前記表示画素の各々に対応するように個別に配置されていることを特徴とする請求項４記載の表示駆動装置。
【請求項７】
前記特定量検出手段は、前記受光素子の各々から出力される前記特定量を時系列的に順次取り込む唯一の入力系統を備えていることを特徴とする請求項４乃至６のいずれかに記載の表示駆動装置。
【請求項８】
前記特定量検出手段は、前記受光素子の各々から出力される前記特定量を並列的に同時に取り込む複数の入力系統を備えていることを特徴とする請求項４乃至６のいずれかに記載の表示駆動装置。
【請求項９】
行方向に延伸して配設された複数の走査ライン、及び、列方向に延伸して配設されたデータラインの各交点に、複数の表示画素が配列された表示パネルと、
所定のタイミングで前記表示パネルの各行ごとの前記表示画素に走査信号を順次印加して、選択状態に設定する走査駆動回路と、
所望の画像情報を表示するための表示信号に応じた信号電圧を生成し、前記選択状態に設定された行の前記表示画素に印加する信号駆動回路と、
前記表示画素の各々の発光特性に応じて、前記表示画素に印加する前記信号電圧を補正する補正制御回路と、
を備え、
前記補正制御回路は、
前記信号駆動回路により前記表示画素の各々に対して、特定の信号電圧を印加した場合の、前記表示画素の発光特性に関連する特定量を検出する特定量検出手段と、
少なくとも前記検出された特定量に基づく階調データを保持する記憶手段と、
前記記憶手段に保持された階調データと、前記表示画素における前記特定の信号電圧に対応する前記特定量の初期値に基づく階調データとの比較結果に基づいて、前記表示信号と前記特定量との関係が前記表示画素の初期状態における関係に近づくように、前記信号駆動回路に供給される前記表示信号を補正する補正信号を生成して、前記各表示画素に印加する前記信号電圧を補正する信号補正手段と、
を有することを特徴とする表示装置。
【請求項１０】
前記記憶手段は、更に、前記表示画素における前記特定量の初期値に基づく階調データを保持することを特徴とする請求項９記載の表示装置。
【請求項１１】
前記特定量検出手段による前記特定量の検出は、前記表示パネルへの電源投入時、及び、前記表示パネルへの電源投入後の所定時間以上経過後、の少なくとも何れかのタイミングに行われることを特徴とする請求項９記載の表示装置。
【請求項１２】
前記表示画素は、少なくとも、
前記走査駆動回路から印加される前記走査信号により、前記信号駆動回路から印加される前記階調信号電圧を取り込む選択スイッチと、前記階調信号電圧に応じた電流値を有する駆動電流を流す発光駆動スイッチと、前記階調信号電圧に応じた電圧成分を蓄積する保持容量と、を有する発光駆動回路と、
前記駆動電流の電流値に応じた輝度階調で発光動作する電流制御型の発光素子と、
を備えることを特徴とする請求項９記載の表示装置。
【請求項１３】
前記特定量検出手段は、少なくとも、前記表示パネルの走査ラインごと又はデータラインごとの前記複数の表示画素に対して設けられ、前記信号駆動回路から前記特定の信号電圧を印加した場合の、前記複数の表示画素各々の前記発光素子の発光輝度を測定する受光素子を備えることを特徴とする請求項１２記載の表示装置。
【請求項１４】
前記表示信号は、デジタルデータからなり、
前記特定量検出手段は、前記受光素子から出力される前記特定量の信号レベルをデジタルデータ化して、前記階調データを生成する変換手段を備えることを特徴とする請求項１３記載の表示装置。
【請求項１５】
前記特定量検出手段は、前記受光素子が、前記表示画素の各々に対応するように個別に配置されていることを特徴とする請求項１３記載の表示装置。
【請求項１６】
前記特定量検出手段は、前記受光素子の各々から出力される前記特定量を時系列的に順次取り込む唯一の入力系統を備えていることを特徴とする請求項１３乃至１５のいずれかに記載の表示装置。
【請求項１７】
前記特定量検出手段は、前記受光素子の各々から出力される前記特定量を並列的に同時に取り込む複数の入力系統を備えていることを特徴とする請求項１３乃至１５のいずれかに記載の表示装置。
【請求項１８】
２次元配列された複数の表示画素を備える表示パネルの行ごとの前記表示画素を順次選択し、表示信号に応じた信号電圧を印加して、前記表示パネルに所望の画像情報を表示する表示装置の駆動制御方法において、
前記表示画素の各々に対して、特定の信号電圧を印加するステップと、
前記表示画素の発光特性に関連する特定量を検出するステップと、
前記検出された特定量に基づく階調データを保持するステップと、
前記保持された階調データと、前記表示画素における前記特定の信号電圧に対応する前記特定量の初期値に基づく階調データとの比較結果に基づいて、前記表示信号と前記特定量との関係を前記表示画素の初期状態における関係に近づけるように、前記表示画素に印加する前記信号電圧の電圧値を補正するステップと、
を含むことを特徴とする表示装置の駆動制御方法。
【請求項１９】
前記表示画素は、前記階調信号電圧に応じた電流値を有する駆動電流を流すとともに、該階調信号電圧に応じた電圧成分を蓄積する発光駆動回路と、前記駆動電流の電流値に応じた輝度階調で発光動作する電流制御型の発光素子と、を備え、
前記表示画素の発光特性に関連する特定量を検出するステップは、前記表示画素の各々に設けられた前記発光駆動回路に対して、前記特定の信号電圧を印加した場合の、前記発光素子の発光輝度を測定することを特徴とすることを特徴とする請求項１８記載の表示装置の駆動制御方法。
【請求項２０】
前記特定の信号電圧を印加するステップは、前記表示パネルの行方向に配列された前記複数の表示画素の各々に、前記特定の信号電圧を順次印加し、
前記表示画素の発光特性に関連する特定量を検出するステップは、前記特定の信号電圧が印加された前記表示画素の各々に対応して前記特定量を順次検出することを特徴とする請求項１８又は１９記載の表示装置の駆動制御方法。
【請求項２１】
前記特定の信号電圧を印加するステップは、前記表示パネルの行方向に配列された前記複数の表示画素を分割した、２つ以上の複数の表示画素ごとに、前記特定の信号電圧を一括して印加し、
前記表示画素の発光特性に関連する特定量を検出するステップは、前記特定の信号電圧が印加された前記複数の表示画素の各々に対応して前記特定量を並行して検出することを特徴とする請求項１８又は１９記載の表示装置の駆動制御方法。
【請求項２２】
前記特定量を検出するステップは、前記表示パネルへの電源投入時、及び、前記表示パネルへの電源投入後の所定時間以上経過後、の少なくとも何れかのタイミングで行われることを特徴とする請求項１８乃至２１記載の表示装置の駆動制御方法。
【請求項２３】
前記特定の信号電圧は、前記発光素子を最高の輝度階調で発光動作させるための最高階調電圧に設定されていることを特徴とする請求項１９乃至２２のいずれかに記載の表示装置の駆動制御方法。
【請求項２４】
前記特定の信号電圧は、前記発光素子を異なる複数の輝度階調で発光動作させるための信号電圧に設定されていることを特徴とする請求項１９乃至２２のいずれかに記載の表示装置の駆動制御方法。
【発明の詳細な説明】
【技術分野】
【０００１】
本発明は、表示駆動装置及び表示装置並びにその駆動制御方法に関し、特に、表示データに応じた電流を供給することにより所定の輝度階調で発光する電流制御型（又は、電流駆動型）の発光素子を、複数配列してなる表示パネル（画素アレイ）に適用可能な表示駆動装置、及び、該表示駆動装置を備えた表示装置、並びに、その駆動制御方法に関する。
【背景技術】
【０００２】
近年、パーソナルコンピュータや映像機器のモニタ、ディスプレイとして多用されている液晶表示装置（ＬＣＤ）に続く次世代の表示デバイス（ディスプレイ）として、有機エレクトロルミネッセンス素子（以下、「有機ＥＬ素子」と略記する）や無機エレクトロルミネッセンス素子（以下、「無機ＥＬ素子」と略記する）、あるいは、発光ダイオード（ＬＥＤ）等のような自己発光型の光学要素（発光素子）を、２次元配列した表示パネルを備えた発光素子型のディスプレイの、本格的な実用化に向けた研究開発が盛んに行われている。
【０００３】
特に、アクティブマトリックス駆動方式を適用した発光素子型ディスプレイにおいては、液晶表示装置に比較して、表示応答速度が速く、視野角依存性もなく、また、高輝度・高コントラスト化、表示画質の高精細化、低消費電力化等が可能であるとともに、液晶表示装置のようにバックライトを必要としないので、一層の薄型軽量化が可能であるという極めて優位な特徴を有している。
【０００４】
そして、このような発光素子型ディスプレイにおいては、上記発光素子の動作（発光状態）を制御するための駆動制御機構や制御方法が種々提案されている。例えば、特許文献１等に記載されているように、表示パネルを構成する各表示画素に、上記発光素子に加えて、該発光素子の発光状態を駆動制御するための、複数のスイッチング素子からなる駆動回路（以下、便宜的に、「発光駆動回路」と記す。後述する「画素駆動回路」と同等）を備えた構成が知られている。
【０００５】
図１１は、従来技術における有機ＥＬ素子を備えた発光素子型ディスプレイの各表示画素の構成例を示す等価回路図である。
特許文献１に記載された表示画素は、図１１に示すように、表示パネル（図示を省略）にマトリクス状に配設された複数の走査ラインＳＬ及びデータラインＤＬの各交点近傍に、ゲート端子が走査ラインＳＬに、ソース端子及びドレイン端子がデータラインＤＬ及び接点Ｎ５１に各々接続された薄膜トランジスタ（ＴＦＴ）Ｔｒ５１と、ゲート端子が接点Ｎ５１に、ソース端子（Ｓ）が接地電位Ｖgndに接続された薄膜トランジスタＴｒ５２と、を備えた発光駆動回路ＤＣＰ、及び、アノード端子が該発光駆動回路ＤＣＰに設けられた薄膜トランジスタＴｒ５２のドレイン端子（Ｄ）に接続され、カソード端子が接地電位Ｖgndよりも低い負電圧からなる定電源電圧Ｖssに接続された有機ＥＬ素子ＯＥＬを有して構成されている。
なお、図１１において、Ｃｐは、薄膜トランジスタＴｒ５２のゲート−ソース間に形成される寄生容量（保持容量）である。また、薄膜トランジスタＴｒ５１はｎチャンネル型の電界効果型トランジスタにより構成され、薄膜トランジスタＴｒ５２はｐチャンネル型の電界効果型トランジスタにより構成されている。
【０００６】
そして、このような構成を有する発光駆動回路ＤＣＰにおいては、以下に示すように、薄膜トランジスタＴｒ５１及びＴｒ５２からなる２個の電界効果型トランジスタ（スイッチング手段）を所定のタイミングでオン、オフ制御することにより、有機ＥＬ素子ＯＥＬを発光制御する。
すなわち、発光駆動回路ＤＣＰにおいて、走査ラインＳＬにハイレベルの走査信号Ｖselを印加して表示画素を選択状態に設定すると、薄膜トランジスタＴｒ５１がオン動作し、このとき、データラインＤＬに表示データ（画像信号）に応じて印加されていた階調信号電圧Ｖpixが上記薄膜トランジスタＴｒ５１を介して、薄膜トランジスタＴｒ５２のゲート端子に印加される。これにより、薄膜トランジスタＴｒ５２が上記階調信号電圧Ｖpixに応じた導通状態でオン動作して、接地電位Ｖgndから薄膜トランジスタＴｒ５２を介して定電源電圧Ｖss方向に所定の発光駆動電流が流れ、有機ＥＬ素子ＯＥＬが上記表示データ（階調信号電圧Ｖpix）に応じた輝度階調で発光する。
【０００７】
次いで、走査ラインＳＬにローレベルの走査信号Ｖselを印加して表示画素を非選択状態に設定すると、薄膜トランジスタＴｒ５１がオフ動作することにより、データラインＤＬと発光駆動回路ＤＣＰとが電気的に遮断される。これにより、薄膜トランジスタＴｒ５２のゲート端子に印加されていた電圧が寄生容量Ｃｐにより保持されて、薄膜トランジスタＴｒ５２は、オン状態を維持することになり、接地電位Ｖgndから薄膜トランジスタＴｒ５２を介して有機ＥＬ素子ＯＥＬに発光駆動電流が流れる状態が維持され、発光動作が継続される。この発光動作は、次の表示データに応じた階調信号電圧Ｖpixが各表示画素に書き込まれるまで、例えば、１フレーム期間継続されるように制御される。
このような駆動制御方法は、各表示画素に印加する電圧（薄膜トランジスタＴｒ５２に印加される階調信号電圧Ｖpix）を調整することにより、有機ＥＬ素子ＯＥＬに流す発光駆動電流の電流値を制御して、所定の輝度階調で発光動作させていることから、電圧駆動方式又は電圧印加方式と呼ばれている。
【０００８】
【特許文献１】特開２００２−１５６９２３号公報  （第４頁、図２）
【発明の開示】
【発明が解決しようとする課題】
【０００９】
しかしながら、上述したような電圧印加方式の駆動制御方法を採用した発光駆動回路を表示画素に備えた表示装置においては、以下に示すような問題を有していた。
すなわち、図１１に示したような発光駆動回路ＤＣＰにおいては、各表示画素に印加される電圧に応じて、有機ＥＬ素子ＯＥＬに流れる発光駆動電流の電流値が制御される構成を有しているため、発光駆動回路ＤＣＰを構成する薄膜トランジスタＴｒ５１及びＴｒ５２の素子特性（チャネル抵抗等）や有機ＥＬ素子ＯＥＬの素子特性（抵抗等）が、周囲の温度等の外的環境や使用時間に依存して変化（劣化）した場合には、有機ＥＬ素子ＯＥＬに供給される発光駆動電流の電流値に影響を与えるため、長期間にわたり安定的に所望の発光特性（所定の輝度階調での発光動作）を実現することが困難になるという問題を有していた。
【００１０】
また、表示画質の高精細化を図るために、表示パネルを構成する各表示画素を微細化すると、発光駆動回路を構成する薄膜トランジスタＴｒ５１及びＴｒ５２の素子特性のバラツキが大きくなるため、適正な階調制御が行えなくなり、各表示画素の表示特性にバラツキが生じて画質の劣化を招くという問題を有していた。
そこで、本発明は、上述した種々の問題点に鑑み、外的環境の変化や経時変化による各表示画素の発光特性の劣化やバラツキに関わらず、表示データに応じた適切な輝度階調で発光動作させることができる表示駆動装置を提供し、以て、画像情報を良好に表示することができる表示装置並びにその駆動制御方法を提供することを目的とする。
【課題を解決するための手段】
【００１１】
請求項１記載の発明は、表示パネルに２次元配列された複数の表示画素を行ごとに選択して、表示信号に応じた信号電圧を印加することにより、該表示画素を前記表示信号に応じた輝度階調で発光動作させる表示駆動装置において、少なくとも、前記表示パネルの行ごと又は列ごとの前記複数の表示画素に対して設けられ、特定の信号電圧を印加した場合の、前記複数の表示画素各々の発光特性に関連する特定量を検出する特定量検出手段と、少なくとも、前記検出された特定量に基づく階調データを保持する記憶手段と、前記記憶手段に保持された階調データと、前記表示画素における前記特定の信号電圧に対応する前期特定量の初期値に基づく階調データとの比較結果に基づいて、前記表示信号と前記特定量との関係を前記表示画素の初期状態における関係に近づけるように、前記表示画素に印加する前記信号電圧の電圧値を補正する補正信号を生成する信号補正手段と、を備える補正制御回路を有することを特徴とする表示駆動装置。
【００１２】
請求項２記載の発明は、請求項１記載の表示駆動装置において、前記記憶手段は、更に、前記表示画素における前記特定量の初期値に基づく階調データを保持することを特徴とする。
請求項３記載の発明は、請求項１記載の表示駆動装置において、前記特定量検出手段による前記特定量の検出は、前記表示パネルへの電源投入時、及び、前記表示パネルへの電源投入後の所定時間以上経過後、の少なくとも何れかのタイミングに行われることを特徴とする。
【００１３】
請求項４記載の発明は、請求項１記載の表示駆動装置において、前記特定量検出手段は、前記表示画素に対して、前記特定の信号電圧を印加した場合の、前記表示画素における発光輝度を測定する受光素子を備えることを特徴とする。
請求項５記載の発明は、請求項４記載の表示駆動装置において、前記表示信号は、デジタルデータからなり、前記特定量検出手段は、前記受光素子から出力される前記特定量の信号レベルをデジタルデータ化して、前記階調データを生成する変換手段を備えることを特徴とする。
【００１４】
請求項６記載の発明は、請求項４記載の表示駆動装置において、前記特定量検出手段は、前記受光素子が、前記表示画素の各々に対応するように個別に配置されていることを特徴とする。
請求項７記載の発明は、請求項４乃至６のいずれかに記載の表示駆動装置において、前記特定量検出手段は、前記受光素子の各々から出力される前記特定量を時系列的に順次取り込む唯一の入力系統を備えていることを特徴とする。
請求項８記載の発明は、請求項４乃至６のいずれかに記載の表示駆動装置において、前記特定量検出手段は、前記受光素子の各々から出力される前記特定量を並列的に同時に取り込む複数の入力系統を備えていることを特徴とする。
【００１５】
請求項９記載の発明は、行方向に延伸して配設された複数の走査ライン、及び、列方向に延伸して配設されたデータラインの各交点に、複数の表示画素が配列された表示パネルと、所定のタイミングで前記表示パネルの各行ごとの前記表示画素に走査信号を順次印加して、選択状態に設定する走査駆動回路と、所望の画像情報を表示するための表示信号に応じた信号電圧を生成し、前記選択状態に設定された行の前記表示画素に印加する信号駆動回路と、前記表示画素の各々の発光特性に応じて、前記表示画素に印加する前記信号電圧を補正する補正制御回路と、を備え、前記補正制御回路は、前記信号駆動回路により前記表示画素の各々に対して、特定の信号電圧を印加した場合の、前記表示画素の発光特性に関連する特定量を検出する特定量検出手段と、少なくとも、前記検出された特定量に基づく階調データを保持する記憶手段と、前記記憶手段に保持された階調データと、前記表示画素における前記特定の信号電圧に対応する前記特定量の初期値に基づく階調データとの比較結果に基づいて、前記表示信号と前記特定量との関係が前記表示画素の初期状態における関係に近づくように、前記信号駆動回路に供給される前記表示信号を補正する補正信号を生成して、前記各表示画素に印加する前記信号電圧の電圧値を補正する信号補正手段と、を有することを特徴とする。
【００１６】
請求項１０記載の発明は、請求項９記載の表示装置において、前記記憶手段は、更に、前記表示画素における前記特定量の初期値に基づく階調データを保持することを特徴とする。
請求項１１記載の発明は、請求項９記載の表示装置において、前記特定量検出手段による前記特定量の検出は、前記表示パネルへの電源投入時、及び、前記表示パネルへの電源投入後の所定時間以上経過後、の少なくとも何れかのタイミングに行われることを特徴とする。
【００１７】
請求項１２記載の発明は、請求項９記載の表示装置において、前記表示画素は、少なくとも、前記走査駆動回路から印加される前記走査信号により、前記信号駆動回路から印加される前記階調信号電圧を取り込む選択スイッチと、前記階調信号電圧に応じた電流値を有する駆動電流を流す発光駆動スイッチと、前記階調信号電圧に応じた電圧成分を蓄積する保持容量と、を有する発光駆動回路と、前記駆動電流の電流値に応じた輝度階調で発光動作する電流制御型の発光素子と、を備えることを特徴とする。
【００１８】
請求項１３記載の発明は、請求項１２記載の表示装置において、前記特定量検出手段は、少なくとも、前記表示パネルの走査ラインごと又はデータラインごとの前記複数の表示画素に対して設けられ、前記信号駆動回路から前記特定の信号電圧を印加した場合の、前記複数の表示画素の前駆発光素子の発光輝度を測定する受光素子を備えることを特徴とする。
請求項１４記載の発明は、請求項１３記載の表示装置において、前記表示信号は、デジタルデータからなり、前記特定量検出手段は、前記受光素子から出力される前記特定量の信号レベルをデジタルデータ化して、前記階調データを生成する変換手段を備えることを特徴とする。
請求項１５記載の発明は、請求項１３記載の表示装置において、前記特定量検出手段は、前記受光素子が、前記表示画素の各々に対応するように個別に配置されていることを特徴とする。
【００１９】
請求項１６記載の発明は、請求項１３乃至１５のいずれかに記載の表示装置において、前記特定量検出手段は、前記受光素子の各々から出力される前記特定量を時系列的に順次取り込む唯一の入力系統を備えていることを特徴とする。
請求項１７記載の発明は、請求項１３乃至１５のいずれかに記載の表示装置において、前記特定量検出手段は、前記受光素子の各々から出力される前記特定量を並列的に同時に取り込む複数の入力系統を備えていることを特徴とする。
【００２０】
請求項１８記載の発明は、２次元配列された複数の表示画素を備える表示パネルの行ごとの前記表示画素を順次選択し、表示信号に応じた信号電圧を印加して、前記表示パネルに所望の画像情報を表示する表示装置の駆動制御方法において、前記信号駆動回路により前記表示画素の各々に対して、特定の信号電圧を印加するステップと、前記表示画素の発光特性に関連する特定量を検出するステップと、前記検出された特定量に基づく階調データを保持するステップと、前記保持された階調データと、前記表示画素における前記特定の信号電圧に対応する前記特定量の初期値に基づく階調データとの比較結果に基づいて、前記表示信号と前記特定量との関係を前記表示画素の初期状態における関係に近づけるように、前記表示画素に印加する前記信号電圧の電圧値を補正するステップと、を含むことを特徴とする。
【００２１】
請求項１９記載の発明は、請求項１８記載の表示装置の駆動制御方法において、前記表示画素は、前記階調信号電圧に応じた電流値を有する駆動電流を流すとともに、該階調信号電圧に応じた電圧成分を蓄積する発光駆動回路と、前記駆動電流の電流値に応じた輝度階調で発光動作する電流制御型の発光素子と、を備え、前記表示画素の発光特性に関連する特定量を検出するステップは、前記表示画素の各々に設けられた前記発光駆動回路に対して、前記特定の信号電圧を印加した場合の、前記発光素子の発光輝度を測定することを特徴とすることを特徴とする。
【００２２】
請求項２０記載の発明は、請求項１８又は１９記載の表示装置の駆動制御方法において、前記特定の信号電圧を印加するステップは、前記表示パネルの行方向に配列された前記複数表示画素の各々に、前記特定の信号電圧を順次印加し、前記表示画素の発光特性に関連する特定量を検出するステップは、前記特定の信号電圧が印加された前記表示画素の各々に対応して前記特定量を順次検出することを特徴とする。
【００２３】
請求項２１記載の発明は、請求項１８又は１９記載の表示装置の駆動制御方法において、前記特定の信号電圧を印加するステップは、前記表示パネルの行方向に配列された前記複数の表示画素を分割した、２つ以上の複数の表示画素ごとに、前記特定の信号電圧を一括して印加し、前記表示画素の発光特性に関連する特定量を検出するステップは、前記特定の信号電圧が印加された前記複数の表示画素の各々に対応して前記特定量を並行して検出することを特徴とする。
【００２４】
請求項２２記載の発明は、請求項１８乃至２１記載の表示装置の駆動制御方法において、前記特定量を検出するステップは、前記表示パネルへの電源投入時、及び、前記表示パネルへの電源投入後の所定時間以上経過後、の少なくとも何れかのタイミングで行われることを特徴とする。
請求項２３記載の発明は、請求項１９乃至２２のいずれかに記載の表示装置の駆動制御方法において、前記特定の信号電圧は、前記発光素子を最高の輝度階調で発光動作させるための最高階調電圧に設定されていることを特徴とする。
請求項２４記載の発明は、請求項１９乃至２２のいずれかに記載の表示装置の駆動制御方法において、前記特定の信号電圧は、前記発光素子を異なる複数の輝度階調で発光動作させるための信号電圧に設定されていることを特徴とする。
【発明の効果】
【００２５】
すなわち、本発明に係る表示駆動装置及び該表示駆動装置を備えた表示装置並びにその駆動制御方法は、表示信号（表示データ）に応じた階調信号電圧(信号電圧)を各表示画素に印加することにより、該表示画素を構成する発光素子（例えば、有機ＥＬ素子）を所定の輝度階調で発光動作させて、所望の画像情報を表示パネルに表示する表示装置において、補正制御回路を備えることにより、表示パネルへの電源投入時あるいは表示パネルへの電源投入後、所定時間以上経過後のタイミングで、各表示画素に特定の信号電圧（輝度検出用データに応じた階調信号電圧；例えば、最高階調電圧）を印加した場合の、表示画素の発光特性に関連する特定量として、該発光素子の発光輝度を受光素子（例えば、フォトダイオード）により測定し、その検出データをデジタル変換して階調データ（デジタル階調データ）として保持する特定量検出動作を実行するように構成されている。
【００２６】
そして、通常の画像表示動作の際には、上記補正制御回路により、特定量検出動作において保持した階調データと、該発光素子の初期特性における特定の信号電圧に対応する発光輝度に基づく階調データと、を比較し、該比較結果に応じて各表示画素ごとの補正値（デジタル値）を生成し、各表示画素ごとの表示データを該補正値に基づいて補正して、補正信号（補正後データ）として信号駆動回路（データドライバ）に供給して、各表示画素に印加する信号電圧を補正するデータ補正動作を実行するように構成されている。
【００２７】
これによれば、表示画素の発光特性に関連した特定量（特定の信号電圧を印加した場合の発光素子の発光輝度）に基づいて、供給される表示信号に対する表示画素（発光素子）の発光輝度が常に初期の発光輝度に近似するように、表示信号を補正することができるので、各表示画素に発光素子の発光特性に、当該表示画素を構成する機能素子（薄膜トランジスタ）や発光素子の素子特性の経時変化やバラツキに起因する劣化や変動が生じた場合であっても、表示データに対して適宜補正された階調信号電圧を各表示画素に印加して、各発光素子を初期状態に近似する発光輝度で発光動作させることができ、画像情報を長期にわたって良好かつ安定した画質で表示することができる。
ここで、上記補正制御回路は、各表示画素から得られた特定量の信号レベルをデジタルデータ化して上記階調データを生成する変換手段を備え、上記データ補正動作において、予めデジタルデータとして保持された表示信号に対応する発光素子の発光輝度の初期値と、デジタルデータからなる階調データと、を比較する手法を適用することができる。
【００２８】
また、上記補正制御回路（特定量検出手段）に設けられる受光素子は、例えば、表示パネルを構成する行（走査ライン）ごと、又は、列（データライン）ごとに配列された複数の表示画素ごとに配置されているものであってもよいし、例えば、表示パネルを構成する表示画素の各々に対応するように、個別に配置されているものであってもよい。このような構成によれば、前者では、表示パネルに配置される複数の表示画素に対して大幅に少ない数の受光素子によって構成することができて、装置規模の縮小や製造コストの低減を図ることができ、一方、後者では、各表示画素における発光輝度を直接的かつ正確に検出することができて、より正確な補正を行うことができる。
【００２９】
さらに、上記補正制御回路は、各表示画素から得られた特定量（発光輝度の検出データ）を取り込む入力系統として１系統のみを備え、上記特定量を時系列的に順次取り込み保持する構成を有するものであってもよいし、上記入力系統として並列的な複数系統を備え、複数の表示画素からの特定量を並列的に取り込み保持する構成を有するものであってもよい。このような構成によれば、前者では、各表示画素からの特定量の取り込み動作を比較的簡易な制御方法により実現でき、一方、後者では、複数の表示画素からの特定量を並列的に取り込むことができるので、当該取り込み動作に要する時間を大幅に短縮することができる。
【発明を実施するための最良の形態】
【００３０】
以下、本発明に係る表示駆動装置及び表示装置並びにその駆動制御方法について、実施の形態を示して詳しく説明する。
＜第１の実施形態＞
＜表示装置＞
まず、本発明に係る表示駆動装置を適用可能な表示装置の概略構成について、図面を参照して説明する。
【００３１】
図１は、本発明に係る表示駆動装置を適用した表示装置の全体構成の第１の実施形態を示すブロック図であり、図２は、本実施形態に係る表示装置の要部構成例を示す概略構成図である。また、図３は、本実施形態に係る表示装置に適用されるデータドライバの要部構成例を示すブロック図である。なお、図２においては、図示の都合上、ゲートドライバを表示パネルの左側に配置して示す（図１においては、表示パネルの右側）。また、以下の説明においては、表示パネルを構成する表示画素として、有機ＥＬ素子を発光素子として備えた構成を示すが、本発明に係る表示装置はこれに限るものではなく、供給される発光駆動電流（駆動電流）の電流値に応じた輝度階調で発光動作する電流制御型の発光素子であれば、例えば、発光ダイオード等の他の発光素子であっても良好に適用することができる。
【００３２】
図１、図２に示すように、本実施形態に係る表示装置１００Ａは、概略、相互に直交するように配設された複数の走査ラインＳＬ１、ＳＬ２、・・・（便宜的にｎ本とする。以下、「走査ラインＳＬ」とも記す）と複数のデータラインＤＬ１、ＤＬ２、・・・（便宜的にｍ本とする。以下、「データラインＤＬ」とも記す）との各交点近傍に、少なくとも画素駆動回路（上述した発光駆動回路に相当する）ＤＣＡ及び有機ＥＬ素子（電流制御型の発光素子）ＯＥＬを備えた複数の表示画素が配列された表示パネル１１０Ａと、該表示パネル１１０Ａの各走査ラインＳＬに接続され、各走査ラインＳＬに所定のタイミングで順次ハイレベルの走査信号Ｖscan1、Ｖscan2、・・・（以下、「走査信号Ｖscan」とも記す）を印加することにより、行ごとの表示画素群を選択状態に設定（走査）するゲートドライバ（走査駆動回路）１２０と、表示パネル１１０Ａの各データラインＤＬに接続され、表示データ（具体的には、後述する補正後データ）に基づく階調信号電圧Ｖdata1、Ｖdata2、・・・（以下、「階調信号電圧Ｖdata」とも記す）を生成して、各データラインＤＬに供給するデータドライバ（信号駆動回路）１３０と、所定のタイミングで各表示画素に設けられた有機ＥＬ素子ＯＥＬの発光特性（又は、素子特性）に関連する特定量（発光輝度）を検出し、当該発光特性を一定の状態に維持するように、データドライバ１３０に供給される表示データを補正する補正制御回路１４０Ａと、少なくとも、ゲートドライバ１２０及びデータドライバ１３０、補正制御回路１４０Ａの動作状態を制御するための走査制御信号及びデータ制御信号、補正制御信号を生成して出力するシステムコントローラ１５０と、表示装置１００Ａの外部から供給される映像信号に基づいて、デジタル信号からなる表示データ（表示信号）を生成して、上記補正制御回路１４０Ａを介してデータドライバ１３０に供給するとともに、該表示データを表示パネル１１０Ａに画像表示するためのタイミング信号（システムクロック等）を抽出、又は、生成してシステムコントローラ１５０に供給する表示信号生成回路１６０と、を備えて構成されている。
【００３３】
以下、上記各構成について説明する。
（表示パネル１１０Ａ）
本実施形態に係る表示装置に適用可能な表示パネル１１０Ａは、例えば、図２に示すように、相互に直交するように配設された走査ラインＳＬ及びデータラインＤＬに加え、各データラインＤＬに並列に配設された電源ラインＶＬ１、ＶＬ２、・・・（以下、「電源ラインＶＬ」とも記す）とを備え、走査ラインＳＬと、データラインＤＬ及び電源ラインＶＬとの各交点に、上述した従来技術（図１０参照）に示した発光駆動回路ＤＣＰと同等の回路構成を有する画素駆動回路ＤＣＡと有機ＥＬ素子ＯＥＬを備えた表示画素が接続された構成を有している。
【００３４】
すなわち、各表示画素は、図２に示すように、ゲート端子が走査ラインＳＬに、ソース端子及びドレイン端子がデータラインＤＬ及び接点Ｎ１１に各々接続されたｎチャネル型の薄膜トランジスタ（選択トランジスタ；選択スイッチ）Ｔｒ１１と、ゲート端子が接点Ｎ１１に、ソース端子が電源ラインＶＬに接続されたｐチャネル型の薄膜トランジスタ（発光駆動トランジスタ；発光駆動スイッチ）Ｔｒ１２と、を備えた画素駆動回路ＤＣＡ、及び、アノード端子が該画素駆動回路ＤＣＰの薄膜トランジスタＴｒ１２のドレイン端子に接続され、カソード端子が接地電位（Ｖgnd）に接続された有機ＥＬ素子ＯＥＬを有して構成されている。なお、図２に示した画素駆動回路ＤＣＡにおいて、Ｃａは薄膜トランジスタＴｒ１２のゲート−ソース間に形成される寄生容量、又は、付加的に形成される補助容量である。
【００３５】
また、本実施形態においては、図２に示すように、各表示画素（画素駆動回路ＤＣＡ及び有機ＥＬ素子ＯＥＬ）に、有機ＥＬ素子ＯＥＬの発光状態に関連する特定量、すなわち、当該有機ＥＬ素子ＯＥＬの発光輝度を測定するための受光素子が、有機ＥＬ素子ＯＥＬに近接して個別に設けられた構成を有している。具体的には、各表示画素には、有機ＥＬ素子ＯＥＬから放射される光を受光することにより、有機ＥＬ素子ＯＥＬの発光輝度を測定する、一端が高電位電圧Ｖddに接続され、他端が接点Ｎ２１に接続されたフォトダイオード（受光素子）ＰＤと、一端が接点Ｎ２１に接続され、他端が接地電位に接続された抵抗Ｒｐと、ゲート端子がリセット信号ラインＶＲ（ＶＲ１、ＶＲ２、・・・）に接続され、ソース端子及びドレイン端子が接点Ｎ２１及び接地電位に各々接続されたｎチャネル型の薄膜トランジスタＴｒ２３と、ゲート端子が接点Ｎ２１に、ソース端子が上記電源ラインＶＬに各々接続されたｎチャネル型の薄膜トランジスタＴｒ２１と、ゲート端子が上記走査ラインＳＬに、ソース端子及びドレイン端子が薄膜トランジスタＴｒ２１のドレイン端子及び検出ラインＦＬ（ＦＬ１、ＦＬ２、・・・）に各々接続されたｎチャネル型の薄膜トランジスタＴｒ２２と、を備えた輝度検出回路（特定量検出手段）ＮＦＡが設けられている。ここで、検出ラインＦＬ及びリセット信号ラインＶＲは、各列ごとにデータラインＤＬに並列に個別に配設され、各検出ラインＦＬの一端側が、共通の入力ラインＩＬを介して、後述する補正制御回路１４０Ａに設けられる増幅器ＡＭＰの入力端子に共通に接続されているとともに、各リセット信号ラインＶＲの一端側が、共通の入力ラインＩＲを介して補正制御回路１４０Ａに共通に接続されている。
【００３６】
このような構成を有する表示画素においては、所定のタイミングでゲートドライバ１２０から走査ラインＳＬに印加される走査信号Ｖscan、及び、データドライバ１３０からデータラインＤＬに印加される階調信号電圧Ｖdataに基づいて、画素駆動回路ＤＣＡにより有機ＥＬ素子ＯＥＬに流れる発光駆動電流が制御され、発光動作及び発光時の輝度階調が制御される。
【００３７】
また、各表示画素に設けられた輝度検出回路ＮＦＡにより検出される発光輝度（検出データ）に基づいて、後述する補正制御回路１４０Ａによりデータドライバ１３０に供給する表示データ（デジタルデータ）を補正することにより、データドライバ１３０から各表示画素に印加される階調信号電圧Ｖdataに基づいて、各表示画素（画素駆動回路ＤＣＡ）に流れる発光駆動電流が、各有機ＥＬ素子ＯＥＬの発光特性に応じた電流値を有するように補正される。具体的な駆動制御動作については後述する。
【００３８】
なお、実施形態においては、表示画素を構成する画素駆動回路ＤＣＡとして、従来技術に示した構成と同様に、ｎチャネル型の薄膜トランジスタ（選択トランジスタ）Ｔｒ１１と、ｐチャネル型の薄膜トランジスタ（発光駆動トランジスタ）Ｔｒ１２と、を備えた回路構成を適用した場合について説明した。このような回路構成によれば、ｐチャネル型とｎチャネル型の薄膜トランジスタが混在した回路構成を有しているので、ポリシリコンプロセスを適用して、良好な動作特性を有する薄膜トランジスタを製造することができ、表示画素の発光特性のバラツキを抑制した画素駆動回路を実現することができる。
【００３９】
また、本発明に適用可能な画素駆動回路は、上述したようなｐチャネル型とｎチャネル型の薄膜トランジスタが混在した回路構成に限定されるものではなく、単一チャネル型の薄膜トランジスタからなる回路構成を適用することもできる。すなわち、本実施形態においては、画素駆動回路として適用可能な一例を示したものに過ぎず、要するに、少なくとも、表示画素（画素駆動回路）を走査信号に基づいて選択状態に設定する選択トランジスタと、該選択状態において印加される階調信号電圧に基づいて、表示データに基づく所定の発光駆動電流を生成して発光素子に供給する発光駆動トランジスタと、を備えた画素駆動回路であれば、他の回路構成を有するものであってもよい。
【００４０】
（ゲートドライバ１２０）
ゲートドライバ１２０は、システムコントローラ１５０から供給される走査制御信号に基づいて、各走査ラインＳＬにハイレベルの走査信号Ｖscanを順次印加することにより、各行ごとの表示画素群を選択状態に設定し、データドライバ１３０によりデータラインＤＬを介して印加される所定の階調信号電圧Ｖdataの、画素駆動回路ＤＣＡへの書き込みを行うように制御する。
【００４１】
ここで、ゲートドライバ１２０は、具体的には、例えば、図２に示すように、シフトレジスタとバッファからなるシフトブロックＳＢを、各走査ラインＳＬに対応させて複数段備え、後述するシステムコントローラ１５０から供給される走査制御信号（走査スタート信号ＳＳＴ、走査クロック信号ＳＣＫ等）に基づいて、シフトレジスタにより表示パネル１１０Ａの上方から下方にシフト信号を順次シフトしつつ、生成されたシフト信号を、バッファを介して所定の電圧レベル（ハイレベル）に変換して走査信号Ｖscan（Ｖscan1〜ＶscanN）として各走査ラインＳＬに出力する。
【００４２】
（データドライバ１３０）
データドライバ１３０は、システムコントローラ１５０から供給されるデータ制御信号に基づいて、表示信号生成回路１６０から出力され、補正制御回路１４０Ａを介して供給されるデジタル信号からなる表示データ（補正後データ）を所定のタイミングで取り込んで保持し、該表示データに対応するアナログ信号電圧を生成して、階調信号電圧Ｖdataとして各データラインＤＬに印加する。
【００４３】
ここで、データドライバ１３０は、具体的には、例えば、図３に示すように、システムコントローラ１５０から供給されるデータ制御信号（シフトクロック信号ＣＬＫ、サンプリングスタート信号ＳＴＲ）に基づいて、順次シフト信号を出力するシフトレジスタ回路１３１と、該シフト信号の入力タイミングに基づいて、表示信号生成回路１６０から補正制御回路１４０Ａを介して供給される１行分の表示データ（補正後データ）を順次取り込むデータレジスタ回路１３２と、データ制御信号（データラッチ信号ＳＴＢ）に基づいて、データレジスタ回路１３２により取り込まれた１行分の表示データを一括保持するデータラッチ回路１３３と、階調基準電圧Ｖ０〜Ｖｐに基づいて、上記保持された表示データを所定のアナログ信号電圧に変換するＤ／Ａコンバータ１３４と、データ制御信号（出力イネ−ブル信号ＯＥ）に基づくタイミングで、当該アナログ信号電圧を階調信号電圧Ｖdata（Ｖdata1〜ＶdataM）として、各データラインＤＬに印加する出力回路１３５と、を有して構成されている。
このようなデータドライバ１３０により、表示信号生成回路１６０から補正制御回路１４０Ａを介して供給される、デジタル信号からなる補正後データ（表示データ）に対応した階調信号電圧（アナログ信号）Ｖdataが生成されて、所定のタイミングで各データラインＤＬに一括して、もしくは、順次出力される。
【００４４】
（補正制御回路１４０Ａ）
補正制御回路１４０Ａは、例えば、図２に示すように、各表示画素（有機ＥＬ素子ＯＥＬ）における発光特性に関連する特定量、具体的には、特定の階調レベルに対応した階調信号電圧を印加した状態における有機ＥＬ素子ＯＥＬの発光輝度を測定する各輝度検出回路ＮＦＡから出力された検出データ（アナログ信号レベル）が、各検出ラインＦＬ及び共通の入力RラインＩＬを介して入力される増幅器（アンプ）ＡＭＰと、該増幅器ＡＭＰにより所定の信号レベルに増幅された上記検出データを、アナログ−デジタル変換処理してデジタル階調データに変換するアナログ−デジタル変換器（以下、「Ａ／Ｄコンバータ」と略記する；変換手段）ＡＤＣと、各表示画素ごとの上記デジタル階調データを順次取り込んで、一時的に記憶するバッファメモリ等からなる記憶部（記憶手段）ＢＭと、表示信号生成回路１６０とデータドライバ１３０との間に設けられ、表示信号生成回路１６０から供給される表示データ（デジタル信号）に対して、上記記憶部ＢＭに記憶された各表示画素（有機ＥＬ素子ＯＥＬ）ごとのデジタル階調データと予め記憶された各表示画素の初期の発光輝度に基づくデジタル階調データとを比較して補正値を生成し、該補正値に基づいて、上記特定の階調レベルの表示データにおける発光輝度が常に初期の発光輝度に等しくなる方向に補正処理を行い、補正値をデータドライバ１３０に補正後データ（補正信号）として供給する比較補正部（信号補正手段）ＣＭＲと、を有して構成されている。
【００４５】
ここで、これらの構成からなる補正制御回路１４０は、後述するシステムコントローラ１５０から出力される補正制御信号に基づいて、動作状態（少なくとも、各表示画素において検出された発光輝度に基づく検出データを取り込み保持する特定量検出動作を実行するか否か）が制御される。なお、各表示画素の初期の発光輝度に基づくデジタル階調データは、例えば工場出荷時等の時点で、記憶部ＢＭに記憶されるものであってもよく、また、これに限らず、記憶部ＢＭとは別の記憶部に記憶されるものであってもよい。
【００４６】
（システムコントローラ１５０）
システムコントローラ１５０は、ゲートドライバ１２０及びデータドライバ１３０、補正制御回路１４０Ａの各々に対して、動作状態を制御する走査制御信号（上述した走査スタート信号ＳＳＴ、走査クロック信号ＳＣＫ等）及びデータ制御信号（上述した出力イネーブル信号ＯＥ、データラッチ信号ＳＴＢ、サンプリングスタート信号ＳＴＲ、シフトクロック信号ＣＬＫ等）、補正制御信号を出力することにより、各ドライバ及び制御回路を所定のタイミングで動作させて、表示信号生成回路１６０から出力される表示データを所定の補正値に基づいて補正処理するとともに、走査信号Ｖscan及び階調信号電圧Ｖdataを生成させ、各走査ラインＳＬ及びデータラインＤＬに印加して各表示画素における発光動作を連続的に実行させて、所定の映像信号に基づく画像情報を表示パネル１１０Ａに表示させる制御を行う。
【００４７】
（表示信号生成回路１６０）
表示信号生成回路１６０は、例えば、表示装置１００Ａの外部から供給される映像信号から輝度階調信号成分を抽出して、表示パネル１１０Ａの１行分ごとに、該輝度階調信号成分をデジタル信号からなる表示データとして、上記補正制御回路１４０Ａを介してデータドライバ１３０のデータレジスタ回路１３２に供給する。ここで、上記映像信号が、テレビ放送信号（コンポジット映像信号）のように、画像情報の表示タイミングを規定するタイミング信号成分を含む場合には、表示信号生成回路１６０は、図１に示すように、上記輝度階調信号成分を抽出する機能のほか、タイミング信号成分を抽出してシステムコントローラ１５０に供給する機能を有するものであってもよい。この場合においては、上記システムコントローラ１５０は、表示信号生成回路１６０から供給されるタイミング信号に基づいて、ゲートドライバ１２０やデータドライバ１３０、補正制御回路１４０Ａに対して個別に供給する走査制御信号及びデータ制御信号、補正制御信号を生成する。
【００４８】
なお、表示装置１００の外部から供給される映像信号がデジタル信号により形成され、また、タイミング信号が映像信号とは別に供給されている場合には、当該映像信号（デジタル信号）をそのまま表示データとして、補正制御回路１４０Ａを介してデータドライバ１３０に供給するとともに、当該タイミング信号を直接システムコントローラ１５０に供給するようにして、表示信号生成回路１６０を省略するようにしてもよい。以下に示す表示装置の駆動制御方法においては、図１に示したように、映像信号に基づいて、表示信号生成回路１６０により表示データが生成され、補正制御回路１４０Ａを介してデータドライバ１３０に供給される場合について説明する。
【００４９】
＜表示装置の駆動制御方法＞
次に、上述した構成を有する表示装置における駆動制御動作（駆動制御方法）について、図面を参照して具体的に説明する。
図４は、本実施形態に係る表示装置の駆動制御方法に適用される特定量検出動作の一例を示すタイミングチャートである。
【００５０】
本実施形態に係る表示装置における駆動制御方法は、表示装置１００Ａの外部から供給される映像信号に基づいて、表示パネル１１０Ａに所望の画像情報を表示する画像表示動作と、通常の画像表示動作に先立つ、例えば表示パネルの電源投入時のタイミング、あるいは、画像表示動作が所定時間経過した後の適当なタイミングで、各表示画素の発光特性に関連する特定量（有機ＥＬ素子ＯＥＬの発光輝度）を検出して、デジタル階調データとして保持する特定量検出動作と、上記画像表示動作時に、特定量検出動作により得られたデジタル階調データに基づいて補正値を生成し、表示信号生成回路１６０からデータドライバ１３０に供給される表示データ（デジタル信号）を補正するデータ補正動作と、を含んでいる。以下、各動作について説明する。なお、特定量検出動作の実行タイミングについては、後述する。
【００５１】
（特定量検出動作）
まず、本実施形態に係る特定量検出動作は、少なくとも、システムコントローラ１５０から補正制御回路１４０における特定量の取り込み、保持動作を実行するための補正制御信号が供給されるとともに、ゲートドライバ１２０及びデータドライバ１３０において、以下に示すような動作を実行するための走査制御信号及びデータ制御信号が供給されることにより実行される。
【００５２】
特定量検出動作においては、図４に示すように、まず、走査制御信号の供給に先立つタイミングで、システムコントローラ１５０より補正制御回路１４０Ａに供給される補正制御信号に基づいて、リセット信号Ｖresetが入力ラインＩＲを介して各リセット信号ラインＶＲ（ＶＲ１、ＶＲ２、・・・）に印加される。これにより各輝度検出回路ＮＦＡの薄膜トランジスタＴｒ２３がオン動作して、薄膜トランジスタＴｒ２１のゲート端子の電位が接地電位に設定されるリセット動作が行われる。
【００５３】
次いで、システムコントローラ１５０から供給される走査制御信号に基づくタイミングで、ゲートドライバ１２０により１行目の走査ラインＳＬ１にハイレベルの走査信号Ｖscan1を所定の期間（例えば、１水平走査期間）継続して印加することにより、走査ラインＳＬ１に接続された各表示画素の画素駆動回路ＤＣＡに設けられた薄膜トランジスタ（選択トランジスタ）Ｔｒ１１をオン動作させ、当該行の表示画素群を選択状態に設定する。このとき、走査ラインＳＬ１に走査信号が印加されることにより、上記選択状態に設定された各表示画素ごとに設けられた輝度検出回路ＮＦＡの薄膜トランジスタＴｒ２２もオン動作し、フォトダイオードＰＤからの検出データを取り出し可能な検出待機状態に設定される。
【００５４】
次いで、この選択状態（選択期間）において、データドライバ１３０に対して輝度検出用データとして、１列目の表示画素に対してのみ、例えば最高階調表示（最高階調レベルでの発光動作）を行い、かつ、他の列の表示画素に対しては、例えば最低階調表示（最適階調レベルでの発光動作；黒表示動作）を行うためのデジタル信号からなるシリアルデータ（表示データ）が供給される。これにより、データドライバ１３０は、システムコントローラ１５０から供給されるデータ制御信号に基づくタイミングで、図４に示すように、上記輝度検出用データに基づいて、最高階調電圧（ＭＳＢ）からなる階調信号電圧（特定の信号電圧）Ｖdata1、及び、最低階調電圧（Ｖgnd）からなる階調信号電圧Ｖdata2〜ＶdataMを生成して、各データラインＤＬを介して、選択状態に設定された１行目の表示画素群に一斉に印加する。
【００５５】
これにより、各データラインＤＬに印加された階調信号電圧Ｖdata1〜ＶdataMが、各表示画素に設けられた画素駆動回路ＤＣＡの薄膜トランジスタＴｒ１１を介して、薄膜トランジスタＴｒ１２のゲート端子に印加されることにより、１行１列目の表示画素の画素駆動回路ＤＣＡに設けられた薄膜トランジスタＴｒ１２のみが、上記ゲート電圧（すなわち、階調信号電圧Ｖdata1）に応じた導通状態でオン動作し、他の列の表示画素の薄膜トランジスタＴｒ１２がオフ動作する。
【００５６】
したがって、１行１列目の表示画素の画素駆動回路ＤＣＡに設けられた薄膜トランジスタＴｒ１２においてのみ、高電位電圧Ｖddと接地電位Ｖgnd間の電位差、及び、階調信号電圧Ｖdata1の電圧値に応じて、高電位電圧Ｖdd側から薄膜トランジスタＴｒ１２及び有機ＥＬ素子ＯＥＬを介して接地電位Ｖgndに発光駆動電流が流れ、有機ＥＬ素子ＯＥＬは、最高階調レベルに相当する輝度階調で発光動作し、他の列の表示画素の有機ＥＬ素子ＯＥＬは非発光状態を維持する。
【００５７】
そして、この１行１列目の表示画素において、有機ＥＬ素子ＯＥＬから放射された最高階調レベルの光は、該表示画素ごとに有機ＥＬ素子ＯＥＬに近接する位置に設けられたフォトダイオードＰＤに入射して、該光の強度（受光強度；有機ＥＬ素子ＯＥＬの発光輝度に相当する）に応じた信号電流が高電位電圧ＶddからフォトダイオードＰＤ及び抵抗Ｒｐを介して接地電位に流れ、接点Ｎ２１、すなわち、輝度検出回路ＮＦＡに設けられた薄膜トランジスタ（増幅トランジスタ）Ｔｒ２１のゲート電極に、受光強度に応じた電圧を生じる。これにより、薄膜トランジスタＴｒ２１は、該電圧（受光強度）に応じた導通状態でオン動作することになるので、電源ラインＶＬに接続された高電位電源Ｖddから薄膜トランジスタＴｒ２１及びＴｒ２２、検出ラインＦＬ、入力ラインＩＬを介して、補正制御回路１４０ＡにフォトダイオードＰＤの受光強度、すなわち、有機ＥＬ素子ＯＥＬの発光輝度に応じた信号レベルを有する検出データが入力される。
この検出データは、上述したように、各検出ラインＦＬに共通に接続された単一の増幅器ＡＭＰにより所定の信号レベルに増幅処理された後、Ａ／ＤコンバータＡＤＣによりデジタル信号に変換されて、記憶部ＢＭの所定の記憶領域にデジタル階調データとして格納される。
【００５８】
次いで、選択状態に設定された表示画素群のうち、２列目の表示画素に対してのみ、最高階調表示を行い、かつ、他の列の表示画素に対しては、最低階調表示を行うための輝度検出用データがデータドライバ１３０に供給されることにより、図４に示すように、上述した１列目の表示画素と同様に、２列目のデータラインＤＬ２に対してのみ、最高階調電圧（ＭＳＢ）からなる階調信号電圧（輝度検出用の信号電圧）Ｖdata2が印加されるとともに、他のデータラインに対しては、最低階調電圧（Ｖgnd）からなる階調信号電圧Ｖdata1、Ｖdata3〜ＶdataMが印加される。
【００５９】
これにより、１行２列目の表示画素の画素駆動回路ＤＣＡに設けられた有機ＥＬ素子ＯＥＬが、階調信号電圧Ｖdata2に基づいて、最高階調レベルで発光動作するとともに、他の列の表示画素の有機ＥＬ素子ＯＥＬは非発光状態を維持することになるので、この１行２列目の表示画素における有機ＥＬ素子ＯＥＬの発光輝度に応じた信号レベルを有する検出データが検出ラインＦＬを介して補正制御回路１４０Ａに入力され、デジタル信号に変換されて、記憶部ＢＭの所定の記憶領域にデジタル階調データとして格納される。
以下、このような各表示画素における特定量検出動作（発光動作及び輝度検出動作）が、選択状態に設定された行の各表示画素に対して、順次繰り返し実行されることにより、１行目の各表示画素（有機ＥＬ素子ＯＥＬ）における発光特性に関する特定量が取得、保持される。
【００６０】
次いで、図４に示すように、ゲートドライバ１２０により１行目の走査ラインＳＬ１に印加される走査信号Ｖscan1を、ローレベルに切り換えることにより、１行目の各表示画素（画素駆動回路ＤＣＡ）の薄膜トランジスタＴｒ１１をオフ動作させて、当該行の表示画素群を非選択状態に設定する。このとき、該表示画素ごとに設けられた輝度検出回路ＮＦＡの薄膜トランジスタＴｒ２２もオフ動作することにより、フォトダイオードＰＤからの検出データが出力されない非検出状態に設定される。
【００６１】
そして、このタイミングに同期して、あるいは、このタイミングの後に、図４に示すように、ゲートドライバ１２０により２行目の走査ラインＳＬ２にハイレベルの走査信号Ｖscan2を所定の期間継続して印加することにより、走査ラインＳＬ２に接続された表示画素群を選択状態に設定し、上述した１行目の表示画素群の場合と同様に、特定量検出動作（各列の表示画素における輝度検出用データに基づく発光動作及び当該発光輝度の検出、デジタル階調データの保持動作）を、２行目の各列の表示画素についても順次繰り返し実行することにより、２行目の各表示画素における発光特性に関する特定量が取得、保持される。
以下、同様の動作を各行について順次繰り返し実行することにより、表示パネル１１０Ａを構成する全ての表示画素（有機ＥＬ素子ＯＥＬ）における発光特性に関連する特定量をデジタル階調データとして取得することができる。
【００６２】
ここで、本実施形態に示した特定量検出動作は、後述する画像表示動作に先立つ任意のタイミングで、事前に実行するものであってもよいし、表示装置の起動時や終了時、画像表示動作実行時以外の待機時等に、定期的、あるいは、不定期に実行するものであってもよい。
また、本実施形態においては、輝度検出用データとして最高階調レベルに相当する表示データをデータドライバ１３０に供給し、これに対応する階調信号電圧Ｖdataを各表示画素に供給する場合について説明したが、本発明は、これに限定されるものではなく、他の階調レベルに対応した輝度階調で、各表示画素の有機ＥＬ素子ＯＥＬを発光動作させるものであってもよい。
【００６３】
さらに、本実施形態においては、特定量検出動作時にデータドライバ１３０に輝度検出用データを供給する構成を特に限定するものではないが、例えば、補正制御回路１４０Ａに設けられた記憶部ＢＭの所定の記憶領域に輝度検出用データを予め保持し、適宜読み出すようにしてもよいし、表示信号生成回路１６０により、あるいは、表示装置１００Ａの外部から表示信号生成回路１６０を介して、輝度検出用データを供給するものであってもよい。
【００６４】
（特定量検出動作の実行タイミング）
次に、上述した特定量検出動作を実行するタイミングについて説明する。
図５は、本実施形態に係る特定量検出動作に係わる駆動制御動作の一例を示すフローチャートである。
本実施形態に係る特定量検出動作は、例えば、図５に示すように、まず、表示パネルに電源が投入された直後の、その後の通常表示動作に先立つタイミングで実行される。この場合、例えば、当該表示パネルを備えた電子機器等の使用開始に先立つタイミングで行われることになる。また、上記タイミングは、当該機器本体への電源投入時に限らず、例えば、機器の使用中に待機状態となって表示パネルへの電源供給が遮断され、表示が消された後、再び使用状態となって、表示パネルへの電源供給が再度投入されて、表示が開始された直後のタイミングであってもよい。これらのタイミングで特定量検出動作を行うことにより、電子機器の使い勝手に支障を与えることなく、特定量検出動作を行い、それによる信号電圧の補正を良好に行うことができる。
【００６５】
次に、図５に示すように、本実施形態に係る特定量検出動作は、表示パネルによる通常の表示動作が行われて、所定時間が経過した後のタイミングでも実行されるようにしてもよい。すなわち、表示動作中に所定時間間隔で特定量検出動作を行って、随時、信号電圧の補正を行うものであり、表示画素に用いる発光素子（有機ＥＬ素子ＯＥＬ）の特性劣化の程度に応じて、必要な所定時間を設定する。また、この場合、表示パネルを備えた電子機器等の使用中に特定量検出動作状態に切替わることを避けるために、例えば、所定時間が経過した後、当該電子機器が待機状態となったときに特定量検出動作を行うようにしてもよい。
なお、上記において、特定量検出動作は、表示パネルに電源が投入された直後のタイミング、及び、通常の表示動作が行われて所定時間が経過した後のタイミング、で実行されるとしたが、いずれか一方のタイミングのみに実行されるものであってもよい。
【００６６】
（画像表示動作／データ補正動作）
次に、本実施形態における通常の画像情報の表示動作、及び、データ補正動作について説明する。
図６は、本実施形態に係る表示装置の駆動制御方法に適用される画像表示動作の一例を示すタイミングチャートである。ここで、上述した特定量検出動作と同等の動作については、その説明を簡略化して説明する。
【００６７】
本実施形態における通常の画像表示動作は、図１、図２に示した表示装置において、少なくとも、システムコントローラ１５０から補正制御回路１４０Ａに対して、特定量検出動作を停止するとともに、表示信号生成回路１６０からの表示データを補正するデータ補正動作を実行するための補正制御信号が供給され、また、ゲートドライバ１２０及びデータドライバ１３０に対して、以下に示すような動作を実行するための走査制御信号及びデータ制御信号が供給されることにより実行される。
【００６８】
画像表示動作においては、まず、表示信号生成回路１６０により１行分の表示データ（ｎ行×ｍ列からなる表示パネル１１０Ａのｉ行目の表示画素群に対応した表示データ；１≦ｉ≦ｎ）が、補正制御回路１４０Ａの比較補正部ＣＭＲを介して、データドライバ１３０に供給される。ここで、表示信号生成回路１６０から出力される表示データは、例えば、表示装置１００Ａの外部から供給される映像信号に基づいて生成されるデジタル信号からなるシリアルデータであって、当該表示装置１００Ａの表示パネル１１０Ａを構成する表示画素の発光特性の劣化（すなわち、各表示画素に設けられた画素駆動回路ＤＣＡを構成する薄膜トランジスタＴｒ１１、ＴＲ１２や有機ＥＬ素子ＯＥＬの素子特性の経時変化やバラツキに起因する有機ＥＬ素子ＯＥＬの発光輝度の変動）を考慮したものではない。
【００６９】
そこで、本実施形態における画像表示動作では、上述した特定量検出動作により取得され、記憶部ＢＭに保持された、各表示画素の発光特性に関連する特定量（特定の階調信号電圧を印加した場合における有機ＥＬ素子ＯＥＬの発光輝度に応じたデジタル階調データ）と、当該画像表示動作において供給された表示データに対応する階調信号電圧における有機ＥＬ素子の発光輝度の初期値と、を比較し、該比較結果に基づいて、各表示画素（有機ＥＬ素子ＯＥＬ）の発光輝度が初期の発光輝度に近似するようにするための補正値（デジタル値）を生成して、上記表示信号生成回路１６０から供給される各表示画素ごとの表示データを該補正値に基づいて補正する処理を実行して、補正後データとしてデータドライバ１３０に供給する（データ補正動作）。
【００７０】
データドライバ１３０は、補正制御回路１４０Ａ（比較補正部ＣＭＲ）を介して供給された補正後データに基づいて、当該ｉ行目の各表示画素に対応する階調信号電圧Ｖdataを生成して、各列のデータラインＤＬに一斉に印加する。
このとき、図６に示すように、ゲートドライバ１２０によりｉ行目の走査ラインＳＬｉにハイレベルの走査信号Ｖscaniを印加することにより、当該行の各表示画素の画素駆動回路ＤＣＡに設けられた薄膜トランジスタ（選択トランジスタ）Ｔｒ１１がオン動作して、薄膜トランジスタ（発光駆動トランジスタ）Ｔｒ１２のゲート端子に、各データラインＤＬに印加された上記階調信号電圧Ｖdataに基づくゲート電圧が印加されて、当該ゲート電圧に応じた導通状態でオン動作する。
【００７１】
これにより、高電位電圧Ｖdd側から電源ラインＶＬを介して、ｉ行目の表示画素群（例えば、ｉ行ｊ列目の表示画素；１≦ｊ≦ｍ）の薄膜トランジスタＴｒ１２及び有機ＥＬ素子ＯＥＬに、階調信号電圧Ｖdatajに基づく電流値を有する発光駆動電流が流れ、有機ＥＬ素子ＯＥＬが表示データ（厳密には、表示データの補正後データ）に基づく所定の輝度で発光動作する（選択期間Ｔse）。このとき、薄膜トランジスタＴｒ１２のゲート−ソース間に生じる電位差により、ゲート−ソース間寄生容量Ｃａが充電される。ここで、各表示画素に印加される階調信号電圧Ｖdataは、上記データ補正動作により、発光素子の初期の発光輝度に基づいて電圧値が設定（補正）されているので、各有機ＥＬ素子ＯＥＬは初期状態に近似した輝度階調で発光動作する。
【００７２】
次いで、図６に示すように、ゲートドライバ１２０によりｉ行目の走査ラインＳＬｉにローレベルの走査信号Ｖscaniを印加して、当該行の表示画素群の画素駆動回路ＤＣＡに設けられた薄膜トランジスタＴｒ１１をオフ動作させることにより、薄膜トランジスタＴｒ１２のゲート端子への階調信号電圧Ｖdataiの印加を遮断する。このとき、上記選択期間Ｔseに、薄膜トランジスタＴｒ１２のゲート−ソース間に印加されていた電位差は、ゲート−ソース間寄生容量Ｃａに電圧成分として保持されるため、薄膜トランジスタＴｒ１２は、この電圧成分によりオン状態を維持し、上記選択期間Ｔseと同等の発光駆動電流がｉ行目の各表示画素の薄膜トランジスタＴｒ１２及び有機ＥＬ素子ＯＥＬに流れ、初期状態に近似した輝度階調で発光する動作を継続する（非選択期間Ｔnse）。
このような画像表示動作において設定される選択期間Ｔse及び非選択期間Ｔnseは、その合計時間が、例えば、表示パネル１１０Ａに１画面分の画像情報を表示する動作期間である１フレーム期間Ｔcycになるように設定される。
【００７３】
以下、同様に、（ｉ＋１）行目の表示画素群についても、図６に示すように、選択期間Ｔseにおいて、走査ラインＳＬ(i+1)に走査信号Ｖscan(i+1)が印加されることにより、補正処理された表示データ（補正後データ）に基づく階調信号電圧Ｖdataが各列のデータラインＤＬを介して、当該行の各表示画素に印加されて、有機ＥＬ素子ＯＥＬが発光動作するとともに、該発光動作に伴う電圧成分が寄生容量Ｃａに保持される。そして、非選択期間Ｔnseにおいては、各表示画素の寄生容量Ｃａに保持された電圧に基づいて、当該行の各表示画素（有機ＥＬ素子ＯＥＬ）が所定の輝度階調で発光する動作が維持される。
このようなデータ補正動作を含む一連の画像表示動作を、各行について順次繰り返し実行することにより、１画面分の画像情報が表示パネル１１０Ａに表示される。
【００７４】
したがって、本実施形態に係る表示装置及びその駆動制御方法によれば、画像表示動作に先立って、あるいは、画像表示動作時以外の任意のタイミング（表示装置起動時や待機時等）で、特定量測定動作を実行することにより、輝度検出用データに基づく特定の階調信号電圧の印加に対して、各表示画素（有機ＥＬ素子）における発光特性（発光輝度）に関連するデジタル階調データを取り込み保持し、該デジタル階調データに基づいて、各表示画素ごとの発光特性に対応した補正値を生成（すなわち、補正値に基づいて補正処理された補正後データに基づいて生成される階調信号電圧により、各表示画素の発光素子が発光動作した場合に得られる発光輝度が初期の発光輝度に近似するように、予め補正値を設定）することができる。
【００７５】
これにより、通常の画像表示動作において、データドライバに供給される表示データに、上記補正値に基づく補正処理を施して、各表示画素の発光特性（すなわち、各表示画素に設けられた画素駆動回路を構成する薄膜トランジスタや有機ＥＬ素子の素子特性の経時変化やバラツキに起因する有機ＥＬ素子の発光輝度の変動）に応じたデジタルデータ（補正後データ）に補正するデータ補正動作を行い、階調信号電圧を生成して各表示画素に印加することができるので、表示データにより指定される輝度階調に対する有機ＥＬ素子（発光素子）の発光輝度の関係を常に初期状態に近似した状態に維持させることができ、各表示画素（発光素子）における発光特性の劣化やバラツキが補正されて、画像情報を長期にわたって良好かつ安定した画質で表示することができる。
【００７６】
＜表示装置の第２の実施形態＞
次に、本発明に係る表示駆動装置を適用可能な表示装置の第２の実施形態について、図面を参照して説明する。
図７は、第２の実施形態に係る表示駆動装置を適用した表示装置の要部構成例を示す概略構成図であり、図８は、本実施形態に係る表示装置の駆動制御方法に適用される特定量検出動作の一例を示すタイミングチャートである。ここで、上述した第１の実施形態と同等の構成については、同一の符号を付して、その説明を簡略化又は省略する。また、上述した特定量検出動作と同等の動作については、その説明を簡略化して説明する。
【００７７】
上述した第１の実施形態においては、特定量検出動作において、選択状態に設定された特定の行の表示画素群に対して、各列の表示画素ごと（１表示画素ごと）に特定の階調レベルからなる輝度検出用データに基づく階調信号電圧を印加し、その場合に有機ＥＬ素子から放射される光の強度（受光強度）を検出して、デジタル階調データとして記憶部に格納する個別の検出動作を、１行の表示画素数分（列数分）、順次繰り返し実行する手法、及び、該手法に対応した構成を有する場合について説明したが、本実施形態においては、特定の行の表示画素群のうち、所定の数の表示画素ごと（複数の表示画素ごと）に、上記検出動作を並行して実行する手法、及び、該手法に対応した構成を有している。
【００７８】
すなわち、本実施形態に適用される表示パネル１１０Ｂ及び補正制御回路１４０Ｂは、図７に示すように、上述した第１の実施形態と同様に、表示パネル１１０Ｂに２次元配列された各表示画素に、有機ＥＬ素子ＯＥＬの発光状態に関連する特定量（発光輝度）を測定するためのフォトダイオードＰＤを備える輝度検出回路ＮＦＢが設けられた構成を有し、有機ＥＬ素子ＯＥＬの発光輝度に応じてフォトダイオードＰＤにより検出された検出データが、複数の検出ラインＦＬ１、ＦＬ２、ＦＬ３、・・・を介して、複数の表示画素ごとに並行して個別の増幅器ＡＰ１、ＡＰ２、ＡＰ３を介してＡ／ＤコンバータＡＤＣに取り込まれ、記憶部ＢＭの個別の記憶領域に格納されるように構成されている。ここで、輝度検出回路ＮＦＢは、上記第１の実施形態における輝度検出回路ＮＦＡと同様の構成を備える。
【００７９】
具体的には、図７に示すように、各列のデータラインＤＬ１、ＤＬ２、ＤＬ３、・・・に接続された表示画素群は各々個別の検出ラインＦＬ１、ＦＬ２、ＦＬ３、・・・に接続され、また、補正制御回路１４０Ｂに設けられた増幅器ＡＰ１、ＡＰ２、ＡＰ３及びＡ／ＤコンバータＡＤＣは、各々複数系統（本実施形態では、便宜的に３系統）の入力を有している。そして、上記検出ライン群のうち、例えば、１列目、４列目、・・・の検出ラインＦＬは、第１の入力ライン（第１の入力系統）ＩＬ１を介して、第１の実施形態と同等の増幅処理及びＡ／Ｄ変換処理が施されて記憶部ＢＭに格納され、２列目、５列目、・・・の検出ラインＦＬは、第２の入力ライン（第２の入力系統）ＩＬ２を介して、所定の増幅処理及びＡ／Ｄ変換処理が施されて記憶部ＢＭに格納され、３列目、６列目、・・・の検出ラインＦＬは、第３の入力ライン（第３の入力系統）ＩＬ３を介して、所定の増幅処理及びＡ／Ｄ変換処理が施されて記憶部ＢＭに格納されるように構成されている。
【００８０】
特に、本実施形態に適用される補正制御回路１４０Ｂは、図７に示すように、各表示画素から検出ラインＦＬ１、ＦＬ２、ＦＬ３、・・・、及び、該表示画素の列番号に応じた特定の入力ライン（入力系統）ＩＬ１、ＩＬ２、ＩＬ３を介して入力された検出データを、各入力系統で並行して所定の信号レベルに増幅する増幅器（具体的には、各入力系統ごとに個別に設けられた３個の増幅器）ＡＰ１、ＡＰ２、ＡＰ３と、該増幅器ＡＰ１、ＡＰ２、ＡＰ３を介して並列的に出力される検出データ（アナログ信号）を、各入力系統を介して並行してアナログ−デジタル変換処理してデジタル階調データに変換するＡ／Ｄコンバータ（具体的には、各入力系統ごとに設けられた個別のＡ／Ｄコンバータ）ＡＤＣと、各系統ごとに並行して入力される各表示画素のデジタル階調データを並行して、もしくは、順次取り込んで、一時的に記憶する記憶部ＢＭと、表示信号生成回路１６０から供給される表示データ（デジタル信号）に対して、上記記憶部ＢＭに記憶された各表示画素ごとのデジタル階調データと予め記憶された各表示画素の初期の発光輝度に基づくデジタル階調データとを比較して、該比較結果に基づいて補正値を生成し、該表示データにおける発光輝度が常に初期の発光輝度に等しくなる方向に上記補正値を用いて表示データを補正して、データドライバ１３０において生成される階調信号電圧の電圧値を設定する比較補正部ＣＭＲと、を有して構成されている。
【００８１】
そして、本実施形態に係る表示装置における駆動制御方法（特定量検出動作）は、図８に示すように、まず、上記図４の場合と同様に、走査制御信号の供給に先立つタイミングで、リセット信号Ｖresetが各リセット信号ラインＶＲ（ＶＲ１、ＶＲ２、・・・）に印加されて、薄膜トランジスタＴｒ２１のゲート端子（接点Ｎ２１）の電位が接地電位に設定されるリセット動作が行われる。次いで、ゲートドライバ１２０により１行目の走査ラインＳＬ１にハイレベルの走査信号Ｖscan1を所定の期間継続して印加することにより、走査ラインＳＬ１に接続された各表示画素を選択状態に設定する。このとき同時に、選択状態に設定された各表示画素ごとに設けられた輝度検出回路ＮＦＢが、有機ＥＬ素子ＯＥＬにおける発光輝度を検出可能な検出待機状態に設定される。
【００８２】
この選択状態（選択期間）において、データドライバ１３０に対して輝度検出用データとして、１〜３列目の表示画素に対してのみ、所定の階調レベル（例えば、最高階調レベル）での発光動作を行うためのシリアルデータが供給される。これにより、データドライバ１３０は、図８に示すように、上記輝度検出用データに基づいて、１〜３列目の表示画素に供給するための、所定の階調レベルに対応した階調信号電圧（最高階調電圧；ＭＳＢ）Ｖdata1〜Ｖdata3、及び、４列目以降の表示画素に供給するための、最低階調電圧（Ｖgnd）からなる階調信号電圧Ｖdata4〜ＶdataMを生成して、各データラインＤＬを介して、選択状態に設定された表示画素群に一斉に印加する。
これにより、１行１〜３列目の表示画素の各有機ＥＬ素子ＯＥＬのみが、最高階調レベルに相当する輝度階調で発光動作し、他の列の表示画素の有機ＥＬ素子ＯＥＬは非発光状態を維持する。
【００８３】
そして、この１行１〜３列目の表示画素において、各有機ＥＬ素子ＯＥＬから放射された最高階調レベルの光は、該表示画素ごとに有機ＥＬ素子ＯＥＬに近接する位置に設けられたフォトダイオードＰＤを備える輝度検出回路ＮＦＢにより、該有機ＥＬ素子ＯＥＬにおける発光輝度に応じた信号電流に変換され、薄膜トランジスタ（増幅トランジスタ）Ｔｒ２１及びＴｒ２２、検出ラインＦＬ１、ＦＬ２、ＦＬ３を介して補正制御回路１４０Ｂに取り込まれる。ここで、上述したように、補正制御回路１４０Ｂは、例えば、３系統の入力ラインＩＬ１、ＩＬ２、ＩＬ３を備え、１列目の表示画素（輝度検出回路）において検出された発光輝度（検出データ）は、第１の入力ライン（第１の入力系統）ＩＬ１を介して取り込まれ、２列目の表示画素（輝度検出回路）において検出された発光輝度（検出データ）は、第２の入力ライン（第２の入力系統）ＩＬ２を介して取り込まれ、３列目の表示画素（輝度検出回路）において検出された発光輝度（検出データ）は、第３の入力ライン（第３の入力系統）ＩＬ３を介して取り込まれる。
【００８４】
異なる入力系統を介して取り込まれた検出データは、各入力ライン（入力系統）ＩＬ１、ＩＬ２、ＩＬ３ごとに個別に設けられた増幅器ＡＰ１、ＡＰ２、ＡＰ３により各々所定の信号レベルに増幅処理された後、Ａ／ＤコンバータＡＤＣにより各入力系統ごとに個別にデジタル信号に変換されて、記憶部ＢＭの所定の記憶領域にデジタル階調データとして、一括して、もしくは、各列ごとに順次格納される。
【００８５】
以下同様にして、４〜６列目、７〜９列目、・・・の表示画素に対して、所定の階調レベルでの発光動作（最高階調表示）を行い、各表示画素ごとの有機ＥＬ素子ＯＥＬの発光輝度をフォトダイオードＰＤにより検出して、個別の入力ライン（入力系統）ＩＬ１、ＩＬ２、ＩＬ３を介して補正制御回路１４０Ｂに取り込み記憶部ＢＭに保持する特定量検出動作を順次繰り返し実行することにより、１行目の各表示画素（有機ＥＬ素子ＯＥＬ）における発光特性に関する特定量が取得、保持される。
そして、このような各行ごとの特定量検出動作を、２行目以降の各表示画素（有機ＥＬ素子ＯＥＬ）についても、繰り返し実行することにより表示パネル１１０Ｂを構成する全ての表示画素（有機ＥＬ素子ＯＥＬ）における発光特性に関連する特定量をデジタル階調データとして取得することができる。
【００８６】
したがって、本実施形態に係る表示装置及びその駆動制御方法によれば、特定量測定動作において、輝度検出用データに基づいて各表示画素に印加される特定の階調信号電圧に対する有機ＥＬ素子の発光輝度に応じた検出データを、並列に構成された複数の入力系統を介して、複数の表示画素ごとに並行して補正制御回路に取り込み保持することができるので、１表示画素ごとに単一の入力系統を介して、該検出データを順次取り込み保持する場合に比較して、特定量測定動作に要する時間を大幅に短縮することができる。
これにより、特定量検出動作を装置起動時や終了時、あるいは、動作待機時等に実行する場合であっても、迅速な起動や終了、待機状態から画像表示状態等への復帰を行うことができ、表示装置の応答特性を向上させることができる。
【００８７】
なお、本実施形態においては、説明の都合上、補正制御回路が３系統の入力ラインを有し、選択状態に設定された行の表示画素群のうち、連続する３列の表示画素から検出された検出データ（発光輝度）を同時に並列的に取り込んで保持する構成について説明したが、本発明はこれに限定されるものではなく、より多数の入力系統を備え、補正制御回路に並列的に取り込む検出データ数を増加させるようにしたものであってもよいことは言うまでもない。
【００８８】
＜表示装置の第３の実施形態＞
次に、本発明に係る表示駆動装置を適用可能な表示装置の第３の実施形態について、図面を参照して説明する。
図９は、第３の実施形態に係る表示駆動装置を適用した表示装置の第１の要部構成例を示す概略構成図であり、図１０は、第３の実施形態に係る表示駆動装置を適用した表示装置の第２の要部構成例を示す概略構成図である。ここで、上述した第１又は第２の実施形態と同等の構成については、同一の符号を付して、その説明を簡略化又は省略する。
【００８９】
上述した第１及び第２の実施形態においては、表示パネル１１０Ａ、１１０Ｂを構成する各表示画素ごとに、輝度検出回路ＮＦＡ、ＮＦＢを備えた構成を示したが、本実施形態においては、データラインＤＬごと、あるいは、走査ラインＳＬごとに、共通の輝度検出回路（フォトダイオードＰＤ）を備えた構成を有している。
すなわち、本実施形態に適用される表示パネル及び補正制御回路の第１の構成例は、図９に示すように、表示パネル１１０Ｃに２次元配列された各表示画素には、有機ＥＬ素子ＯＥＬと、該有機ＥＬ素子ＯＥＬに所定の発光駆動電流を流す画素駆動回路ＤＣＡのみが設けられ、該表示パネル１１０Ｃに配設された各データラインＤＬの一方の端部に、各々唯一の輝度検出回路ＮＦＣ（フォトダイオードＰＤ）を備えた構成を有し、各列の表示画素の有機ＥＬ素子ＯＥＬから放射される光を、当該列に設けられたフォトダイオードＰＤにより、当該発光輝度に応じた検出データを検出し、検出ラインＦＬを介して補正制御回路１４０Ｃに取り込むように構成されている。
【００９０】
具体的には、図９に示すように、各列ごとに設けられる輝度検出回路ＮＦＣは、上記第１の実施形態における輝度検出回路ＮＦＡと同様の構成を備え、有機ＥＬ素子ＯＥＬの発光輝度を検出する、一端が電源ラインＶＬに接続され、他端が接点Ｎ３１に接続されたフォトダイオードＰＤと、一端が接点Ｎ３１に接続され、他端が接地電位に接続された抵抗Ｒｐと、ゲート端子がリセット信号ラインＶＲに接続され、ソース端子及びドレイン端子が接点Ｎ３１及び接地電位に各々接続されたｎチャネル型の薄膜トランジスタＴｒ３３と、ゲート端子が接点Ｎ３１に、ソース端子が電源ラインＶＬに各々接続されたｎチャネル型の薄膜トランジスタＴｒ３１と、ゲート端子がデータラインＳＬに、ソース端子及びドレイン端子が薄膜トランジスタＴｒ３１のドレイン端子及び検出ラインＦＬに各々接続されたｎチャネル型の薄膜トランジスタＴｒ３２と、を備えた構成を有している。
【００９１】
このような構成を有する表示装置における駆動制御方法（特定量検出動作）は、上述した第１の実施形態（図４参照）と略同様に、特定の行の走査ラインＳＬに走査信号Ｖscanを印加して、該走査ラインＳＬに接続された表示画素群を選択状態に設定し、この選択状態に同期して、各データラインＤＬに所定の輝度検出用データに対応する階調信号電圧Ｖdataを印加して、特定の列の表示画素（すなわち、輝度検出対象となる表示画素の有機ＥＬ素子ＯＥＬ）のみを、例えば、最高階調レベルで発光動作させる。ここで、輝度検出対象となる表示画素以外の表示画素には、最低階調レベルに対応した階調信号電圧（Ｖgnd）が印加されるため、非発光状態が維持される。
【００９２】
このとき、輝度検出対象となる表示画素に印加される階調信号電圧Ｖdataが、当該列のデータラインＤＬを介して、各データラインＤＬに対応して設けられた輝度検出回路ＮＦＣ（薄膜トランジスタＴｒ３２）にも印加されることにより、該輝度検出回路ＮＦＣが表示画素（有機ＥＬ素子ＯＥＬ）から放射される光を受光可能な状態に設定されるので、上記輝度検出対象となる表示画素から放射された最高階調レベルの光（有機ＥＬ素子ＯＥＬの発光輝度）に応じた検出データ（アナログ信号レベル）がフォトダイオードＰＤから出力され、各列ごとに配設された検出ラインＦＬを介して補正制御回路１４０Ｃに取り込まれてデジタル階調データに変換されて記憶部ＢＭに格納される。
【００９３】
ここで、表示パネル１１０Ｃを構成する各表示画素（有機ＥＬ素子ＯＥＬ）から放射される光は、均一な散乱光であり、外部に出射される成分の他、パネル基板や該基板上に形成された薄膜層内を導波する成分がある。この導波された光を輝度検出回路ＮＦＣのフォトダイオードＰＤによって受光する。この場合、導波する光の強度は、一般に、その光の導波長の対数に比例して減衰することが知られている。したがって、この関係に基づいて、輝度検出対象となる表示画素（有機ＥＬ素子ＯＥＬ）から輝度検出回路ＮＦＣ（フォトダイオードＰＤ）までの距離を加味して、該表示画素における発光輝度の絶対値を求めることができ、該絶対値に応じたデジタル階調データを上記記憶部ＢＭの所定の記憶領域に格納するようにしてもよい。
【００９４】
以下同様にして、選択状態に設定された各列の表示画素について、所定の階調レベルでの発光動作（最高階調表示）を行い、各表示画素ごとの有機ＥＬ素子ＯＥＬの発光輝度を、各列（データラインＤＬ）ごとに設けられた輝度検出回路ＮＦＣ（フォトダイオードＰＤ）により検出して、補正制御回路１４０Ｃに取り込み記憶部ＢＭに保持する特定量検出動作を順次繰り返し実行することにより、特定の行の各表示画素（有機ＥＬ素子ＯＥＬ）における発光特性に関する特定量が取得、保持される。
そして、このような各行ごとの特定量検出動作を、他の行の各表示画素（有機ＥＬ素子ＯＥＬ）についても、繰り返し実行することにより表示パネル１１０Ｃを構成する全ての表示画素（有機ＥＬ素子ＯＥＬ）における発光特性に関連する特定量をデジタル階調データとして取得することができる。
【００９５】
次いで、上記記憶部ＢＭに記憶された各表示画素ごとのデジタル階調データと予め記憶された各表示画素の初期の発光輝度に基づくデジタル階調データとを比較して、補正値を生成して、補正動作を行う。ここで、各表示画素の初期の発光輝度に基づくデジタル階調データとして、同輝度検出回路ＮＦＣによって検出した各表示画素の初期の発光輝度に基づくデジタル階調データを用いることができる。その場合、検出されたデジタル階調データと初期のデジタル階調データとは、各表示画素から輝度検出回路ＮＦＣまでの距離が同一であるため、両データを直接比較することができる。なお、補正値の生成においては、上述したような表示画素から輝度検出回路ＮＦＣまでの距離による光の強度の減衰量の違いを加味して行う。
【００９６】
また、本実施形態に適用される表示パネル及び補正制御回路の第２の構成例は、図１０に示すように、表示パネル１１０Ｄに２次元配列された各表示画素には、有機ＥＬ素子ＯＥＬと、該有機ＥＬ素子ＯＥＬに所定の発光駆動電流を流す画素駆動回路ＤＣＡのみが設けられ、該表示パネル１１０Ｄに配設された各走査ラインＳＬの一方の端部に、各々唯一の輝度検出回路ＮＦＤ（フォトダイオードＰＤ）を備えた構成を有し、各行の表示画素の有機ＥＬ素子ＯＥＬから放射される光を、当該行に設けられたフォトダイオードＰＤにより、当該発光輝度に応じた検出データを検出し、検出ラインＦＬを介して補正制御回路１４０Ｄに取り込むように構成されている。
【００９７】
具体的には、図１０に示すように、各行ごとに設けられる輝度検出回路ＮＦＤは、上記第３の実施形態（図９参照）における輝度検出回路ＮＦＣと同様の構成を備え、有機ＥＬ素子ＯＥＬの発光輝度を検出する、一端が電源ラインＶＬに接続され、他端が接点Ｎ４１に接続されたフォトダイオードＰＤと、一端が接点Ｎ４１に接続され、他端が接地電位に接続された抵抗Ｒｐと、ゲート端子がリセット信号ラインＶＲに接続され、ソース端子及びドレイン端子が接点Ｎ４１及び接地電位に各々接続されたｎチャネル型の薄膜トランジスタＴｒ４３と、ゲート端子が接点Ｎ４１に、ソース端子が電源ラインＶＬに各々接続されたｎチャネル型の薄膜トランジスタＴｒ４１と、ゲート端子が走査ラインＳＬに、ソース端子及びドレイン端子が薄膜トランジスタＴｒ４１のドレイン端子及び検出ラインＦＬに各々接続されたｎチャネル型の薄膜トランジスタＴｒ４２と、を備えた構成を有している。
【００９８】
このような構成を有する表示装置における駆動制御方法（特定量検出動作）は、上述した第３の実施形態（図９参照）と同様に、特定の行の走査ラインＳＬに走査信号Ｖscanを印加することにより、該走査ラインＳＬに接続された表示画素群を選択状態に設定するとともに、当該走査ラインＳＬの端部に設けられた輝度検出回路ＮＦＤを検出待機状態に設定し、この選択状態に同期して、特定の列の表示画素（すなわち、輝度検出対象となる表示画素の有機ＥＬ素子）のみを、例えば、最高階調レベルで発光動作させることにより、輝度検出回路ＮＦＤ（フォトダイオードＰＤ）が該表示画素（有機ＥＬ素子ＯＥＬ）から放射された光を受光して、該有機ＥＬ素子ＯＥＬの発光輝度に応じた検出データを検出ラインＦＬを介して補正制御回路１４０Ｄに出力する。これにより、補正制御回路１４０Ｄは、上記検出データをデジタル階調データに変換して記憶部ＢＭの所定の記憶領域に格納する。
【００９９】
このような各表示画素に対する特定量検出動作を、当該選択状態に設定された各列の表示画素について、さらには、表示パネル１１０Ｄを構成する他の行の各表示画素（有機ＥＬ素子ＯＥＬ）についても、繰り返し実行することにより、表示パネル１１０Ｄを構成する全ての表示画素（有機ＥＬ素子ＯＥＬ）における発光特性に関連する特定量をデジタル階調データとして取得することができる。
【０１００】
したがって、本実施形態に係る表示装置及びその駆動制御方法によれば、表示パネルに配設された各データラインごとに、あるいは、各走査ラインごとに、当該ラインに接続された表示画素から放射される光を受光して発光輝度を検出する輝度検出回路（フォトダイオード）が設けられた構成を有しているので、各表示画素ごとに上記輝度検出回路を設けた構成に比較して、回路素子数を大幅に削減して回路構成を簡略化することができるとともに、特定量検出動作に係る輝度検出回路の制御を簡素化することができる。また、各表示画素に輝度検出回路を備える必要がないので、表示画素に占める有機ＥＬ素子の有効面積を相対的に拡大することができるので、発光輝度を向上させて表示画質の一層の向上を図ることができる。
【０１０１】
なお、本実施形態においては、表示パネルに配設された各データライン、あるいは、各走査ラインの端部に、輝度検出回路を設けた構成を示したが、本発明はこれに限定されるものではなく、各データライン、あるいは、各走査ラインの任意の位置、具体的には、表示パネル内部のライン途中であって、表示画素間となる任意の位置に輝度検出回路（少なくとも、フォトダイオード）を設けた構成を適用することもできる。このような構成においても、回路構成の簡略化や輝度検出回路の制御の簡素化を実現することができるとともに、各表示画素における有機ＥＬ素子の有効面積を拡大して発光輝度の向上を図ることができる。
【０１０２】
また、上述した各実施形態においては、特定量検出動作として、単一の階調レベル（最高階調レベル）を有する輝度検出用データにより、各表示画素における発光輝度を検出する場合について説明したが、本発明はこれに限定されるものではなく、例えば、複数の階調レベルに対応する輝度検出用データを供給することにより、各表示画素の有機ＥＬ素子ＯＥＬを異なる輝度階調で発光動作させ、各発光状態（輝度階調）における輝度を検出して、各表示画素（有機ＥＬ素子）について、複数の階調条件での検出データを複数取得して補正制御回路（記憶部）に保持するようにしてもよい。これにより、上述したデータ補正動作において、表示画素（有機ＥＬ素子）の発光特性を、画素駆動回路を構成する薄膜トランジスタや有機ＥＬ素子の素子特性の経時変化やバラツキに関わらず、表示データにより指定される輝度階調に対する有機ＥＬ素子（発光素子）の発光輝度の関係を常に初期状態に近似した状態に維持させることができ、画像情報を長期にわたって良好かつ安定した画質で表示することができる。
【図面の簡単な説明】
【０１０３】
【図１】本発明に係る表示駆動装置を適用した表示装置の全体構成の第１の実施形態を示すブロック図である。
【図２】本実施形態に係る表示装置の要部構成例を示す概略構成図である。
【図３】本実施形態に係る表示装置に適用されるデータドライバの要部構成例を示すブロック図である。
【図４】本実施形態に係る表示装置の駆動制御方法に適用される特定量検出動作の一例を示すタイミングチャートである。
【図５】本実施形態に係る特定量検出動作に係わる駆動制御動作の一例を示すフローチャートである。
【図６】本実施形態に係る表示装置の駆動制御方法に適用される画像表示動作の一例を示すタイミングチャートである。
【図７】第２の実施形態に係る表示駆動装置を適用した表示装置の要部構成例を示す概略構成図である。
【図８】本実施形態に係る表示装置の駆動制御方法に適用される特定量検出動作の一例を示すタイミングチャートである。
【図９】第３の実施形態に係る表示駆動装置を適用した表示装置の第１の要部構成例を示す概略構成図である。
【図１０】第３の実施形態に係る表示駆動装置を適用した表示装置の第２の要部構成例を示す概略構成図である。
【図１１】従来技術における有機ＥＬ素子を備えた発光素子型ディスプレイの各表示画素の構成例を示す等価回路図である。
【符号の説明】
【０１０４】
１００Ａ    表示装置
１１０Ａ〜１１０Ｄ      表示パネル
１２０      ゲートドライバ
１３０      データドライバ
１４０Ａ〜１４０Ｄ      補正制御回路
１５０      システムコントローラ
ＤＣＡ      画素駆動回路
ＯＥＬ      有機ＥＬ素子
ＮＦＡ〜ＮＦＤ          輝度検出回路
ＡＤＣ      Ａ／Ｄコンバータ
ＢＭ        記憶部
ＣＭＲ      比較補正部
【図１】
2005092028.tif 000003
【図２】
2005092028.tif 000004
【図３】
2005092028.tif 000005
【図４】
2005092028.tif 000006
【図５】
2005092028.tif 000007
【図６】
2005092028.tif 000008
【図７】
2005092028.tif 000009
【図８】
2005092028.tif 000010
【図９】
2005092028.tif 000011
【図１０】
2005092028.tif 000012
【図１１】
2005092028.tif 000013